(57)【要約】【課題】部品点数の増大を回避しつつ比較的高い吸湿性を有する薬剤体を収容することが可能なブリスターパッケージを提供すること。【解決手段】ブリスターパッケージ（１）であって、薬剤体（２）と、収容部（１０）を含むブリスターシート（３）と、ブリスターシート（３）に接着された基材（４）と、を備え、ブリスターシート（３）は、ポリプロピレンからなる外層（３Ａ）と、ポリエチレンテレフタレートからなる内層（３Ｂ）と、を有し、基材（４）は、防湿層（４Ｂ）と、内層（３Ｂ）に接着可能な接着層（４Ｄ）と、防湿層（４Ｂ）を保護する保護層（４Ａ）と、を有すること。【選択図】図１
2018090298.tif 000002
【特許請求の範囲】
【請求項１】
ブリスターパッケージであって、
薬剤体と、
一方向に開口するとともに前記薬剤体を収容可能な形状を有する収容部を含むブリスターシートと、
前記収容部の開口を塞ぐように前記ブリスターシートに接着された基材と、を備え、
前記ブリスターシートは、
ポリプロピレンからなる外層と、
前記外層の前記基材側に配置されており、ポリエチレンテレフタレートからなる内層と、を有し、
前記基材は、
防湿層と、
前記防湿層の前記ブリスターシート側に配置されており、前記内層に接着可能な接着層と、
前記防湿層の前記ブリスターシート側又は前記ブリスターシート側とは反対側に配置されており、前記防湿層を保護する保護層と、を有する、ブリスターパッケージ。
【請求項２】
請求項１に記載のブリスターパッケージにおいて、
前記内層の厚さは、前記外層の厚さよりも小さい、ブリスターパッケージ。
【請求項３】
請求項２に記載のブリスターパッケージにおいて、
前記外層の厚さは、３００μｍ以上１０００μｍ以下であり、
前記内層の厚さは、１０μｍ以上１００μｍ以下である、ブリスターパッケージ。
【発明の詳細な説明】
【技術分野】
【０００１】
本発明は、ブリスターパッケージに関する。
【背景技術】
【０００２】
従来、洗浄剤等の薬剤体が包装されたブリスターパッケージが知られている。例えば、特許文献１には、薬剤体（錠剤）と、ブリスターシート（ブリスターカバー）と、基材（台紙）と、を備えるブリスターパッケージが開示されている。ブリスターシートは、薬剤体を収容する収容部と、基材に接着される被接着部と、を有している。ブリスターシートは、ポリエチレンテレフタレート（ＰＥＴ）やポリプロピレン（ＰＰ）等からなる。基材は、収容部の開口を塞ぐようにブリスターシートに接着されている。基材は、紙やフィルムからなる。
【０００３】
このようなブリスターパッケージでは、薬剤体として比較的吸湿性の低いものが収容されるときは、ブリスターシートの材料としてポリエチレンテレフタレートが選択されることが多く、この場合、ブリスターシートと基材との接着性の観点から、通常、基材の材料として紙が選択される。一方、薬剤体として比較的吸湿性の高いもの収容するときは、ブリスターシートの材料として、ポリエチレンテレフタレートの防湿性よりも高い防湿性を有するポリプロピレンが選択されることが多く、この場合、ブリスターシートと基材との接着性の観点及び基材の防湿性の観点から、通常、基材として防湿性を有するフィルム（例えばアルミを積層したフィルム（たとえばシーラント層、アルミ箔、表面層の順番に積層されたフィルム））が用いられる。
【先行技術文献】
【特許文献】
【０００４】
【特許文献１】特開２００９−２４１９４５号公報
【発明の概要】
【発明が解決しようとする課題】
【０００５】
特許文献１に記載されるようなブリスターパッケージにおいて、比較的高い吸湿性を有する薬剤体を収容する場合、すなわち、ブリスターシートとしてポリプロピレンからなるものが用いられ、基材として防湿性を有するフィルムが用いられる場合、ブリスターパッケージを構成する部品点数が多くなる。具体的に、ポリプロピレンからなるブリスターシートに接着される防湿性を有するフィルムは、台紙に比べて薄いため、フィルムが外部に露出する場合、フィルムが破損する恐れがあり、一方、ポリプロピレンからなるブリスターシートに対して台紙を接着することは困難である。このため、ポリプロピレンからなるブリスターシートが用いられる場合、当該ブリスターシートには防湿性を有するフィルムが接着され、このフィルムの保護のために、フィルムとは別部材からなる保護部材（台紙等）が必要となる。このため、ブリスターパッケージを構成する部品点数が多くなる。
【０００６】
本発明の目的は、部品点数の増大を回避しつつ比較的高い吸湿性を有する薬剤体を収容することが可能なブリスターパッケージを提供することである。
【課題を解決するための手段】
【０００７】
前記課題を解決する手段として、本発明は、ブリスターパッケージであって、薬剤体と、一方向に開口するとともに前記薬剤体を収容可能な形状を有する収容部を含むブリスターシートと、前記収容部の開口を塞ぐように前記ブリスターシートに接着された基材と、を備え、前記ブリスターシートは、ポリプロピレンからなる外層と、前記外層の前記基材側に配置されており、ポリエチレンテレフタレートからなる内層と、を有し、前記基材は、防湿層と、前記防湿層の前記ブリスターシート側に配置されており、前記内層に接着可能な接着層と、前記防湿層の前記ブリスターシート側又は前記ブリスターシート側とは反対側に配置されており、前記防湿層を保護する保護層と、を有する、ブリスターパッケージを提供する。
【０００８】
本ブリスターパッケージでは、ブリスターシートがポリエチレンテレフタレートからなる内層を有するとともに基材が接着層を有するので、ブリスターシートと基材との接着性が確保され、また、ブリスターシートがポリエチレンテレフタレートの防湿性よりも高い防湿性を有するポリプロピレンからなる外層を有するとともに基材が防湿層を有するので、ブリスターシート及び基材内への水分の進入が抑制され、さらに、基材が防湿層を保護する保護層を有するので、防湿層の破損も抑制される。よって、ブリスターシート及び基材により、薬剤体として比較的吸湿性の高いものを収容することが可能になる。
【０００９】
この場合において、前記内層の厚さは、前記外層の厚さよりも小さいことが好ましい。
【００１０】
このようにすれば、薬剤体の取り出しが容易になる。具体的に、内層を構成するポリエチレンテレフタレートの硬度の方が外層を構成するポリプロピレンの硬度よりも大きいため、内層の厚さが外層のそれよりも小さいことにより、ブリスターシートから基材を剥がした後、ブリスターシートの外層側から薬剤体を押し出す操作を行いやすくなる。
【００１１】
具体的に、前記外層の厚さは、３００μｍ以上１０００μｍ以下であり、前記内層の厚さは、１０μｍ以上１００μｍ以下であることが好ましい。
【００１２】
このようにすれば、上記の効果がより高まる。
【発明の効果】
【００１３】
以上のように、本発明によれば、部品点数の増大を回避しつつ比較的高い吸湿性を有する薬剤体を収容することが可能なブリスターパッケージを提供することができる。
【図面の簡単な説明】
【００１４】
【図１】本発明の一実施形態のブリスターパッケージの正面図である。
【図２】図１のＩＩ−ＩＩ線での断面を模式的に示す図である。
【発明を実施するための形態】
【００１５】
本発明の一実施形態のブリスターパッケージ１について、図１及び図２を参照しながら説明する。本ブリスターパッケージ１は、複数個（本実施形態では１２個）の薬剤体２と、ブリスターシート３と、基材４と、を備えている。薬剤体２は、洗浄剤や香料等の薬剤を含んでいる。
【００１６】
ブリスターシート３は、複数個の薬剤体２を収容可能である。具体的に、ブリスターシート３は、それぞれが一方向に開口するとともに薬剤体２を収容可能な形状を有する複数の（本実施形態では１２個の）収容部１０と、各収容部１０の周囲に形成されており基材４に接着される被接着部２０と、それぞれが指で摘ままれることが可能な形状を有する複数の（本実施形態では９個の）摘み部３０と、を有している。
【００１７】
各収容部１０は、円筒状の周壁と、周壁のうち基材４とは反対側の端部に接続された上壁と、を有している。被接着部２０は、前記周壁から外向きに張り出す形状を有している。各摘み部３０は、被接着部２０に接続されている。各摘み部３０の先端は、湾曲する形状を有している。
【００１８】
基材４は、各収容部１０に薬剤体２が収容された状態で各収容部１０の開口を塞ぐようにブリスターシート３の被接着部２０に接着されている。各摘み部３０は、基材４から離間している。
【００１９】
本実施形態では、複数の収容部１０は、第１方向（図１の上下方向）に沿って並ぶ４つの収容部１０を有する収容部群が、第１方向と直交する第２方向（図１の左右方向）に沿って３列並ぶように配置されている。
【００２０】
ブリスターシート３及び基材４には、当該ブリスターシート３及び当該基材４の切断を誘導する複数の切断誘導部Ｌ１，Ｌ２が形成されている。各切断誘導部は、各収容部１０を他の収容部１０から区画する位置に形成されている。本実施形態では、複数の切断誘導部は、第１方向と平行に延びる２本の第１切断誘導部Ｌ１と、第２方向と平行に延びる３本の切断誘導部Ｌ２と、を有している。また、本実施形態では、切断誘導部Ｌ１，Ｌ２は、ミシン目である。ただし、切断誘導部Ｌ１，Ｌ２は、ミシン目に限られない。各摘み部３０は、切断誘導部Ｌ１，Ｌ２上に配置されている。
【００２１】
本実施形態では、ブリスターシート３は、層構造を有している。具体的に、図２に示されるように、ブリスターシート３は、外層３Ａと、外層３Ａの基材２０側（図２の下側）に配置された内層３Ｂと、を有している。
【００２２】
外層３Ａは、ポリプロピレン（ＰＰ）からなる。外層３Ａの厚さは、３００μｍ以上１０００μｍ以下に設定されることが好ましい。
【００２３】
内層３Ｂは、ポリエチレンテレフタレート（ＰＥＴ）からなる。内層３Ｂの厚さは、外層１０Ａの厚さよりも小さい。具体的に、内層３Ｂの厚さは、１０μｍ以上１００μｍ以下に設定されることが好ましい。なお、内層３Ｂは、ウレタン系の接着剤を介して外層３Ａと接続されている。内層３Ｂを構成するポリエチレンテレフタレートの防湿性よりも、外層３Ａを構成するポリプロピレンの防湿性の方が高い。また、内層３Ｂを構成するポリエチレンテレフタレートの硬度の方が、外層３Ａを構成するポリプロピレンの硬度よりも小さい。
【００２４】
基材４は、層構造を有している。具体的に、図２に示されるように、基材４は、保護層４Ａと、防湿層４Ｂと、印刷層４Ｃと、接着層４Ｄと、を有している。保護層４Ａ、防湿層４Ｂ、印刷層４Ｃ及び接着層４Ｄは、ブリスターシート３に向かってこの順に積層されている。保護層４Ａは、防湿層４Ｂを保護する層である。この保護層４Ａの剛性は、防湿層４Ｂのそれよりも大きい。本実施形態では、保護層４Ａは、紙からなる。ただし、保護層４Ａは、樹脂等により構成されてもよい。防湿層４Ｂは、アルミニウムからなる。ただし、防湿層４Ｂは、ポリプロピレンやガラス蒸着層、アルミ蒸着層により構成されてもよい。接着層４Ｄは、内層３Ｂを構成するポリエチレンテレフタレートに接着可能である。なお、印刷層４Ｃは、省略されてもよい。
【００２５】
以上に説明したように、本実施形態のブリスターパッケージ１では、ブリスターシート３がポリエチレンテレフタレートからなる内層３Ｂを有するとともに基材４がポリエチレンテレフタレートに接着可能な接着層４Ｄを有するので、ブリスターシート３と基材４との接着性が確保され、また、ブリスターシート３がポリエチレンテレフタレートの防湿性よりも高い防湿性を有するポリプロピレンからなる外層３Ａを有するとともに基材４が防湿層４Ｂを有するので、ブリスターシート３及び基材４内への水蒸気の進入が抑制され、さらに、基材４が防湿層４Ｂを保護する保護層４Ａを有するので、防湿層４Ｂの破損も抑制される。よって、ブリスターシート３及び基材４により、薬剤体２として比較的吸湿性の高いものを収容することが可能になる。
【００２６】
続いて、ブリスターパッケージ１から、第１収容部１１に収容された被包装体２を取り出す場合について説明する。
【００２７】
まず、各切断誘導部Ｌ１，Ｌ２に沿って一の（例えば図１の右下の）収容部１０を含む部位を切り離す。そうすると、摘み部３０が露出するので、この摘み部３０を摘まんで基材４を剥がす。このとき、摘み部３０の先端部は、収容部１０から離間する向きに凸となるように湾曲する形状を有しているので、開封時に指が摘み部３０から受ける刺激が低減される。
【００２８】
その後、収容部１０を外層３Ａ側から内層３Ｂ側に押圧する。これにより、薬剤体２が取り出される。本実施形態では、内層３Ｂの厚さが外層３Ａのそれよりも小さいので、ブリスターシート３の外層３Ａ側から薬剤体２を押し出す操作を行いやすくなる。
【００２９】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００３０】
例えば、ブリスターシート３は、単一の収容部１０を有するものであってもよい。また、単一の収容部１０に複数個の薬剤体２が収容されてもよい。
【実施例】
【００３１】
上記実施形態のブリスターパッケージ１について、実施例及び比較例を作成した。実施例及び比較例の構成は、以下のとおりである。
【００３２】
＜実施例＞
○薬剤体
有機酸と炭酸塩とを含有する５ｇの発泡錠剤（吸湿性を有する薬剤体）を１２錠
○ブリスターシート
外層：ポリプロピレン（厚さ５００μｍ）
内層：ポリエチレンテレフタレート（厚さ１６μｍ）
○基材
保護層：紙（４５０ｇ／ｍ２）
防湿層：アルミ蒸着
印刷層：インク
接着層：ウレタン系接着剤
＜比較例＞
○薬剤体
上記実施例の薬剤体と同じ
○ブリスターシート
外層：ポリエチレンテレフタレート（厚さ４５０μｍ）
内層：なし
○基材
上記実施例の基材と同じ
以上の実施例及び比較例のブリスターパッケージを、温度４０℃、湿度７５％の環境下に３か月保存した。その後、実施例及び比較例の各薬剤体の表面の外観を観測し、吸湿状態を確認した。
【００３３】
その結果、実施例の各薬剤体については、試験前の外観から変化がなかったのに対し、比較例の各薬剤体は、その表面が凹凸状に変化しており、吸湿によって部分的に発泡していることが確認された。
【符号の説明】
【００３４】
１    ブリスターパッケージ
２    薬剤体
３    ブリスターシート
３Ａ  外層
３Ｂ  内層
４    基材
４Ａ  保護層
４Ｂ  防湿層
４Ｃ  印刷層
４Ｄ  接着層
１０    収容部
２０    被接着部
３０    摘み部
【図１】
2018090298.tif 000003
【図２】
2018090298.tif 000004